(57)【要約】【課題】ランプ座体の確認及び特別な施工を必要とせず、ＬＥＤ専用のランプ座体にも安定器で起動されるランプ座体にも対応できる電子式誘導式と商用電源直接入力との互換性を備えた回路構造を提供すること。【解決手段】基板体と、基板体に設置された光源制御回路装置を含み、光源制御回路装置が、互いに電気的に接続された定電流回路２１、複数の光源モジュール２２、スイッチ２３、商用電源模擬回路２４、高圧保護回路２５、複数のブリッジ整流回路２６、限流保護回路２７を含み、光源制御回路装置が基板体に設けられた正負極接続部と電気的に接続される。【選択図】図１
0003213663.tif 000002
【実用新案登録請求の範囲】
【請求項１】
電子式誘導式と商用電源直接入力との互換性を備えた回路構造であって、
基板体と、前記基板体上に設置された光源制御回路装置を含み、
前記光源制御回路装置が、定電流回路と、複数の光源モジュールと、スイッチと、商用電源模擬回路と、高圧保護回路と、複数のブリッジ整流回路と、限流保護回路と、を含み、前記定電流回路、前記複数の光源モジュール、前記スイッチ、前記商用電源模擬回路、前記高圧保護回路、前記複数のブリッジ整流回路、前記限流保護回路が電気的に接続され、前記光源制御回路装置が前記基板体の側部に設けられた接続部と電気的に接続されることを特徴とする、電子式誘導式と商用電源直接入力との互換性を備えた回路構造。
【請求項２】
前記基板体が表面部と２つの側部を備え、前記光源制御回路装置が前記表面部上に設置され、各側部に正負極接続部がそれぞれ設置され、前記光源制御回路装置と前記正負極接続部が電気的に接続されることを特徴とする、請求項１に記載の電子式誘導式と商用電源直接入力との互換性を備えた回路構造。
【請求項３】
前記基板体と前記光源制御回路装置の間に第１コネクタ部材が設置され、前記第１コネクタ部材が第２コネクタ部材と相互に連結され、前記第１コネクタ部材と前記第２コネクタ部材の着脱を通じて、前記光源制御回路装置及び前記正負極接続部の導通が制御されることを特徴とする、請求項２に記載の電子式誘導式と商用電源直接入力との互換性を備えた回路構造。
【請求項４】
前記第１コネクタ部材が前記基板体上に設置され、前記第１コネクタ部材が少なくとも１つの第１端及び少なくとも１つの第２端を備え、前記第１端が前記複数の正負極接続部に接続され、前記第２端が前記光源制御回路装置に接続されることを特徴とする、請求項３に記載の電子式誘導式と商用電源直接入力との互換性を備えた回路構造。
【請求項５】
前記第２コネクタ部材が少なくとも１つの前記第１端に対応する第１槽と、少なくとも１つの前記第２端に対応する第２槽を備え、前記第１槽及び前記第２槽が相互に導通され、前記第２コネクタ部材の着脱結合により、前記光源制御回路装置及び前記複数の光源モジュールの導通が制御されることを特徴とする、請求項４に記載の電子式誘導式と商用電源直接入力との互換性を備えた回路構造。
【考案の詳細な説明】
【技術分野】
【０００１】
本考案は、ＬＥＤ専用のランプ座体に対応し、安定器での起動も可能な、電子式誘導式と商用電源直接入力との互換性を備えた回路構造に関する。
【背景技術】
【０００２】
蛍光灯の放電電流と導通抵抗間には正帰還の関係が存在し、電流が蛍光灯に流れると、気体がイオン化されて蛍光灯内の導通抵抗が低下を続け、これによってより多くの電流が蛍光灯内に流れるので、蛍光灯が直接固定電圧の電源に接続されている場合、蛍光灯は電流が絶えず上昇するためにすぐに焼き付いてしまう。
このため、通常の蛍光灯は、補助回路で蛍光灯内に進入する電流を一定レベルに制御する必要があり、この電流制御回路は通常安定器と呼ばれる。
【０００３】
安定器は実際にはインダクタと蛍光灯を直列接続し、蛍光灯の電流が増加したとき、安定器の電圧も増加させ、蛍光灯の電圧を低くして、さらに蛍光灯の電流を減少させて、蛍光灯の電流の急速な変化を阻止する機能を達成する。
このような反覆的作用により、導通抵抗が非常に低くなったとき、安定器が導通電流を一定値に近付け、蛍光灯の安定した動作を開始させる。
このため、従来の蛍光灯は動作電圧が１１０Ｖまたは２２０Ｖ専一性の消極性光源（ｎｏｎ−ｓｐｅｃｉｆｉｃｉｔｙ  ｎｅｇａｔｉｖｅ  ｌｉｇｈｔ  ｓｏｕｒｃｅ）ではなく、安定器を使用して実際の入力を蛍光灯の動作電圧まで調整し、蛍光灯がすぐに破損しないようにしている。
【０００４】
上述したような蛍光灯は、バラスト（安定器）とスタータを組み合わせ、気体に電離を発生させる瞬間高圧がフィラメント間の電圧差を蛍光灯に放電させるに足る程度に到達させる。新しい電子式安定器はスタータの機能がすでに安定器内に含まれているため、別途スタータを追加する必要がなく、ＬＥＤランプ管が従来の照明装置に使用されるとき、その動作電流は一定であるため、従来の安定器は電流によって変化して入力電圧を変化させることがなく、このためＬＥＤランプ管に対してはいかなる影響もないが、スタータと電子式安定器が気体に放電を発生させるために電圧を高くすると、瞬間的に電圧が高くなり過ぎてＬＥＤランプ管に焼き付きを発生させてしまう。
従って、ＬＥＤランプ管を従来の蛍光灯照明装置に取り付ける前に、先にスタータと電子式安定器を取り外す必要があるため、次のような問題が存在する。
【０００５】
１．使用上の利便性が優れない：ＬＥＤ蛍光灯の取り付けには専門技術者による施工が必要であり、元のランプ座体上のバラスト（安定器）とスタータを取り外してからでないと、従来の照明装置をＬＥＤランプ管に転用することができないため、施工コストが高く、使用上不便であるため、その使用上の利便性が優れない。
２．組み立てに必要なコストが高い：ＬＥＤ蛍光灯の組み立て工程は繁多で、機器設備を運用した自動化大量生産ができず、生産コストが高くなりがちであるため、組み立てに必要なコストも高い。
【考案の概要】
【考案が解決しようとする課題】
【０００６】
本考案が解決しようとする課題は、上述の問題を解決し、ランプ座体の確認及び特別な施工を必要とせず、ＬＥＤ専用のランプ座体にも安定器で起動されるランプ座体にも対応できる電子式誘導式と商用電源直接入力との互換性を備えた回路構造を提供することにある。
【課題を解決するための手段】
【０００７】
本考案の電子式誘導式と商用電源直接入力との互換性を備えた回路構造は、基板体と、前記基板体上に設置された光源制御回路装置を含み、前記光源制御回路装置が、定電流回路と、複数の光源モジュールと、スイッチと、商用電源模擬回路と、高圧保護回路と、複数のブリッジ整流回路と、限流保護回路と、を含み、前記定電流回路、前記複数の光源モジュール、前記スイッチ、前記商用電源模擬回路、前記高圧保護回路、前記複数のブリッジ整流回路、前記限流保護回路が電気的に接続され、前記光源制御回路装置が前記基板体の側部に設けられた接続部と電気的に接続される。
【０００８】
以下の構成を採用しても良い。
前記基板体が表面部と２つの側部を備え、前記光源制御回路装置が前記表面部上に設置され、各側部に正負極接続部がそれぞれ設置され、前記光源制御回路装置と前記正負極接続部が電気的に接続される構成。
前記基板体と前記光源制御回路装置の間に第１コネクタ部材が設置され、前記第１コネクタ部材が第２コネクタ部材と相互に連結され、前記第１コネクタ部材と前記第２コネクタ部材の着脱を通じて、前記光源制御回路装置及び前記正負極接続部の導通が制御される構成。
【０００９】
この場合、前記第１コネクタ部材が前記基板体上に設置され、前記第１コネクタ部材が少なくとも１つの第１端及び少なくとも１つの第２端を備え、前記第１端が前記複数の正負極接続部に接続され、前記第２端が前記光源制御回路装置に接続される構成。
前記第２コネクタ部材が少なくとも１つの前記第１端に対応する第１槽と、少なくとも１つの前記第２端に対応する第２槽を備え、前記第１槽及び前記第２槽が相互に導通され、前記第２コネクタ部材の着脱結合により、前記光源制御回路装置及び前記複数の光源モジュールの導通が制御される構成。
【考案の効果】
【００１０】
本考案によれば、現在汎用されている各種ランプ座体に対して直接的な互換性を有し、ランプ座体の確認及び特別な施工を必要とせず、ＬＥＤ専用のランプ座体にも安定器で起動されるランプ座体にも対応できる。
【図面の簡単な説明】
【００１１】
【図１】本考案の実施例を示す回路構造の概略図である。
【図２】本考案の実施例に係るランプの分解図である。
【図３】本考案の実施例に係るランプの断面図である。
【考案を実施するための形態】
【００１２】
以下、本考案の実施例を図面に基づいて詳細に説明する。なお、下記の説明において、上、下、左、右、前、後などの方向を示す用語は、単に添付した図面上での方向に合わせたものである。
本実施例の回路構造は、ランプに搭載され、図３に示すように、基板体１と、光源制御回路装置２を含む。
基板体１の表面部１１は主要な部材の設置に用いられ、表面部１１に光源制御回路装置２が設置される。基板体１の両端の側部１２は正負極接続部１３を備え、ランプ座体との接続に用いられる。
図に示す例は、ランプ管タイプの構造であり、本考案の回路構造をその他のタイプの照明装置に応用するときは、部材は同等効果のもので置き換えられる。
【００１３】
光源制御回路装置２は、図１に示すように、定電流回路２１と、複数の光源モジュール２２と、スイッチ２３と、商用電源模擬回路２４と、高圧保護回路２５と、複数のブリッジ整流回路２６と、限流保護回路２７とを含む。
定電流回路２１：安定した動作電流を光源モジュール２２に提供するために用いられ、第１電圧区間（ＵＡＢ、Ａ−Ｂの電圧差）が８０Ｖより高いとき起動して動作する。
光源モジュール２２：光源となるＬＥＤランプである。
スイッチ２３：光源モジュール２２を制御する部材であり、商用電源模擬回路２４及び高圧保護回路２５に接続される。
【００１４】
商用電源模擬回路２４及び高圧保護回路２５：限流保護回路２７より入力される電位波形信号の違いに基づき、以下で３種類の状況に分けて説明する。
限流保護回路２７が商用電源模擬回路２４に出力する電位波形信号がＡＣ交流入力であるとき、高圧保護回路２５の動作を制限し、かつスイッチ２３の開放を制限して、定電流回路２１が動作し、全体をＡＣ交流入力に対応させる。
限流保護回路２７が商用電源模擬回路２４に出力する電位波形信号が安定器の瞬間的高圧入力であるとき、高圧保護回路２５の動作を制限し、かつスイッチ２３の動作を制御して、安定器起動の高圧エネルギーを吸収し、光源モジュール２２を点灯させる。
【００１５】
限流保護回路２７が商用電源模擬回路２４に出力する電位波形信号が安定器の正常動作の出力であるとき、商用電源模擬回路２４は高圧保護回路２５の動作を制限せず、かつスイッチ２３の制御権を高圧保護回路２５に渡し、高圧保護回路２５が限流保護回路２７で回路全体の第１電圧区間（ＵＡＢ）及び第２電圧区間（ＵＣＡ、Ｃ−Ａの電圧差）を検査してデジタル電圧信号を形成し、高圧保護回路２５がデジタル電圧信号（第１電圧区間（ＵＡＢ）及び第２電圧区間（ＵＣＡ）が形成するデジタル電圧信号）に基づいてスイッチ２３を制御し、かつ光源モジュール２２を流れる電流を制御し、第１電圧区間（ＵＡＢ）が定電流回路２１内のフライバックモジュール（ＳＷ）の起動電圧より高くならないように制限し、フライバックモジュールが動作しない状態にさせる。
【００１６】
ブリッジ整流回路２６：安定器の出力する交流電流を直流電流に変換し、複数の光源モジュール２２に必要な電力を供給する。
限流保護回路２７：その本質は帯域通過回路であり、異なる入力周波数下で、その波形下に異なる抵抗を有し、主に発光源（ＬＥＤ）の入力電源の異なる特性を検出するために用いられ、かつ後続の制御回路が異なる制御するための可能性を提供する。
【００１７】
図２に示すように、本実施例の回路構造は、安全機能の第１コネクタ部材３及び第２コネクタ部材４を備える。
第１コネクタ部材３は、基板体１上に設置され、少なくとも１つの第１端３１及び少なくとも１つの第２端３２を備える。また、第１端３１は正負極接続部１３に接続され、第２端３２が光源制御回路装置２に接続され、第１コネクタ部材３の第１端３１及び第２端３２は相互に導通されない状態である。
第２コネクタ部材４は、第１端３１に対応する第１槽４１と、第２端３２に対応する第２槽４２を備え、第１槽４１及び第２槽４２が相互に導通されている。
【００１８】
第１コネクタ部材３の第１端３１及び第２端３２は相互に導通されておらず、第２コネクタ部材４の第１槽４１及び第２槽４２は導通路であるため、第１コネクタ部材３と第２コネクタ部材４が接続されたとき、正負極接続部１３と光源制御回路装置２とが導通され、１つの完全な回路を構成する。
このような構造は取り付け時にうっかり電極に接触し、感電の問題が発生することがないようにするために用いられる。
【００１９】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００２０】
１        基板体
１１      表面部
１２      側部
１３      正負極接続部
２        光源制御回路装置
２１      定電流回路
２１１    フライバックモジュール
２２      光源モジュール
２３      スイッチ
２４      商用電源模擬回路
２５      高圧保護回路
２６      ブリッジ整流回路
２７      限流保護回路
３        第１コネクタ部材
３１      第１端
３２      第２端
４        第２コネクタ部材
４１      第１槽
４２      第２槽
【図１】
0003213663.tif 000003
【図２】
0003213663.tif 000004
【図３】
0003213663.tif 000005